(57)【特許請求の範囲】
【請求項１】
複数の照明装置を制御する照明制御装置であって、前記複数の照明装置のそれぞれは、独立に制御可能な複数の画素を含み、
前記照明制御装置は、
前記複数の照明装置に対応する複数のグループ情報を格納したメモリであって、前記複数のグループ情報のそれぞれは、対応する照明装置に表示することが可能な少なくとも１つの照明パターンのグループを表す、メモリと、
前記複数の照明装置のうち制御対象となる照明装置を識別するために問い合わせを行う手段と、
前記制御対象と識別された照明装置に対応するグループに属する少なくとも１つの照明パターンの中から、前記制御対象となっている照明装置に表示すべき１つの照明パターンを選択する手段と、
前記選択された照明パターンの表示を指示する指示情報を前記制御対象となっている照明装置に送信する手段と
を備えた、照明制御装置。
【発明の詳細な説明】
【０００１】
【発明の属する技術分野】
本発明は、コンピュータシステムを用いて照明サービスを提供する方法および照明装置に関する。本発明は、さらに、照明の形態を選択することが可能な照明制御装置、照明制御方法および照明制御データのフォーマットに関する。
【０００２】
【従来の技術】
人類は、生活のために、夜になって周りが暗くなると明かりを灯すという行為を太古の昔から現在まで続けてきた。従って、明かりの目的は、できるだけ昼間と同じように周囲の環境が見えるようにすることであった。
【０００３】
このような観点から、従来、照明装置は、照明装置が発する光の明るさ、および、照明装置が発する光の平均演色評価指数（Ｒａ）を高めることを目的に設計されてきた。平均演色評価指数とは、照明装置が発する光の下での物体の色の見え方の忠実性を表す指標の１つである。また、近年、人の肌をより健康そうに見せたり、肉や魚をよりおいしそうに見せたりするための照明が提案されてきている。
【０００４】
【発明が解決しようとする課題】
上述した設計思想に基づく照明装置では、照明装置の点灯中には、できるだけ明るさや平均演色評価指数が設計値から変化しないことが望まれる。従って、従来の照明装置では、照明の形態が固定されていた。このような照明装置では、ユーザの所望の形態で空間を照明することができないため、エンターテインメント性を実現することができなかった。
【０００５】
また、エンターテインメント性を実現することができるように照明装置を制御する照明サービスは、従来、考えられていなかった。
【０００６】
本発明者は、このような課題に鑑みて、エンターテインメント性を実現することができる照明装置を提供することによって新たな照明文化を構築することを提案する。
【０００７】
本発明は、エンターテインメント性を実現することができる照明サービスを提供する方法および照明装置を提供することを目的とする。また、本発明は、そのような照明装置によって読み取り可能であって、エンターテインメント性が実現されるように照明装置を制御することのできる記録媒体を提供することを目的とする。
【０００８】
本発明は、さらに、照明装置のユーザの要望または体調に適合した照明の形態を容易に選択することが可能な照明制御装置、照明制御方法および照明制御データのフォーマットを提供することを目的とする。
【０００９】
【課題を解決するための手段】
本発明の照明制御装置は、独立に制御可能な複数の画素を含む照明装置を制御する照明制御装置であって、前記照明装置に表示すべき１つの照明パターンを選択する選択部と、前記選択された照明パターンの表示を指示する指示情報を前記照明装置に送信する送信部とを備え、これにより、上記目的が達成される。
【００１０】
前記照明装置は、前記照明装置に表示され得る少なくとも１つの照明パターンを候補として特定する特定部をさらに備え、前記選択部は、前記候補として特定された前記少なくとも１つの照明パターンから、前記照明装置に表示すべき１つの照明パターンを選択してもよい。
【００１１】
前記特定部は、照明パターンのカテゴリを表すカテゴリ情報、照明パターンに関連するキーワード情報、照明パターンのタイトルを表すタイトル情報および照明パターンの作者を表す作者情報のうち少なくとも１つに基づいて、前記少なくとも１つの照明パターンを前記候補として特定してもよい。
【００１２】
前記照明制御装置は、前記照明装置の構成を表す情報を取得する構成情報取得部をさらに備え、前記特定部は、前記照明装置の構成を表す情報に基づいて、前記少なくとも１つの照明パターンを前記候補として特定してもよい。
【００１３】
前記照明制御装置は、前記照明装置のユーザの体調に関する情報を検知するセンサをさらに備え、前記特定部は、前記ユーザの体調に関する情報に基づいて、前記少なくとも１つの照明パターンを前記候補として特定してもよい。
【００１４】
前記照明制御装置は、前記候補として特定された前記少なくとも１つの照明パターンのそれぞれの属性を表す属性情報を表示する表示部をさらに備え、前記選択部は、前記照明装置の外部から入力された選択情報に基づいて、前記照明装置に表示すべき１つの照明パターンを選択してもよい。
【００１５】
前記属性情報は、照明パターンのカテゴリを表すカテゴリ情報、照明パターンに関連するキーワード情報、照明パターンのタイトルを表すタイトル情報および照明パターンの作者を表す作者情報のうち少なくとも１つを含んでもよい。
【００１６】
前記照明装置は、白色の照明光を表示する第１の動作モードと、照明パターンを表示する第２の動作モードとを有してもよい。
【００１７】
前記照明装置は、前記照明装置の電源の投入に応答して、前記第１の動作モードで動作してもよい。
【００１８】
前記照明装置は、前記照明装置の電源の投入に応答して、前記第２の動作モードで動作し、前記照明装置の電源の遮断時に表示していた照明パターンを表示してもよい。
【００１９】
本発明の照明制御方法は、独立に制御可能な複数の画素を含む照明装置を制御する照明制御方法であって、（ａ）前記照明装置に表示すべき１つの照明パターンを選択するステップと、（ｂ）前記選択された照明パターンの表示を指示する指示情報を前記照明装置に送信するステップとを包含し、これにより、上記目的が達成される。
【００２０】
前記照明制御方法は、（ｃ）前記照明装置に表示され得る少なくとも１つの照明パターンを候補として特定するステップをさらに包含し、前記ステップ（ａ）は、前記候補として特定された前記少なくとも１つの照明パターンから、前記照明装置に表示すべき１つの照明パターンを選択するステップを包含してもよい。
【００２１】
前記ステップ（ｃ）は、照明パターンのカテゴリを表すカテゴリ情報、照明パターンに関連するキーワード情報、照明パターンのタイトルを表すタイトル情報および照明パターンの作者を表す作者情報のうち少なくとも１つに基づいて、前記少なくとも１つの照明パターンを前記候補として特定するステップを包含してもよい。
【００２２】
前記照明制御方法は、（ｄ）前記照明装置の構成を表す情報を取得するステップをさらに包含し、前記ステップ（ｃ）は、前記照明装置の構成を表す情報に基づいて、前記少なくとも１つの照明パターンを前記候補として特定するステップを包含してもよい。
【００２３】
前記照明制御方法は、（ｅ）前記照明装置のユーザの体調に関する情報を検知するステップをさらに包含し、前記ステップ（ｃ）は、前記ユーザの体調に関する情報に基づいて、前記少なくとも１つの照明パターンを前記候補として特定するステップを包含してもよい。
【００２４】
前記照明制御方法は、（ｆ）前記候補として特定された前記少なくとも１つの照明パターンのそれぞれの属性を表す属性情報を表示するステップをさらに包含し、前記ステップ（ａ）は、前記照明装置の外部から入力された選択情報に基づいて、前記照明装置に表示すべき１つの照明パターンを選択するステップを包含してもよい。
【００２５】
前記属性情報は、照明パターンのカテゴリを表すカテゴリ情報、照明パターンに関連するキーワード情報、照明パターンのタイトルを表すタイトル情報および照明パターンの作者を表す作者情報のうち少なくとも１つを含んでもよい。
【００２６】
前記照明制御方法は、（ｇ）前記照明パターンを表すデータを提供するサービスを行うサービスセンタから前記照明パターンを表すデータを取得するステップをさらに包含してもよい。
【００２７】
前記指示情報は、前記照明装置に表示すべき１つの照明パターンを表すデータを含んでもよい。
【００２８】
前記指示情報は、前記照明装置が前記照明装置に表示すべき１つの照明パターンを記憶しているアドレスを含んでもよい。
【００２９】
前記照明装置は、少なくとも１つの照明パターンを表す少なくとも１つのデータを記憶するメモリを有し、前記照明制御方法は、（ｈ）以前に前記メモリに記憶されていたデータの数と、現在前記メモリに記憶されているデータの数とが一致するか否かを判定するステップと、（ｉ）一致しない場合には、現在前記メモリに記憶されているデータの少なくとも１つによって表される少なくとも１つの照明パターンのカテゴリを表すカテゴリ情報を読み出すステップとをさらに包含してもよい。
【００３０】
前記照明装置は、白色の照明光を表示する第１の動作モードと、照明パターンを表示する第２の動作モードとを有し、前記照明制御方法は、（ｊ）前記照明装置の動作モードを切り替えるステップをさらに包含してもよい。
【００３１】
本発明の照明制御データのフォーマットは、独立に制御可能な複数の画素を含む照明装置を制御する照明制御データのフォーマットであって、前記照明制御データは、ヘッダ部と、前記照明装置に表示される照明パターンを表す照明パターンデータ部とを含み、前記ヘッダ部は、前記照明パターンの属性を表す属性情報を含み、これにより、上記目的が達成される。
【００３２】
前記属性情報は、前記照明パターンのカテゴリを表すカテゴリ情報、前記照明パターンに関連するキーワード情報、前記照明パターンのタイトルを表すタイトル情報および前記照明パターンの作者を表す作者情報のうち少なくとも１つを含んでもよい。
【００３３】
以下、作用を説明する。
【００３４】
本発明の照明制御装置は、照明装置に表示すべき１つの照明パターンを選択する選択部を備えている。これにより、多種多様な照明パターンが存在しても、ユーザの要望または体調に適合した照明の形態を容易に選択することができる。少なくとも１つの照明パターンのそれぞれに関連する属性情報が表示部に表示される場合、ユーザは、照明パターンのそれぞれに関連する情報に基づいて、照明装置に表示される照明パターンを選択することができる。
【００３５】
【発明の実施の形態】
以下、図面を参照しながら本発明の実施の形態を説明する。
【００３６】
（実施の形態１）
図１は、本発明の実施の形態１の照明サービスを提供するシステム１００の構成を示す。
【００３７】
システム１００は、サービスセンタ１と、家庭１０２と、サービスセンタ１と家庭１０２とを接続するネットワーク１０１とを含む。なお、ネットワーク１０１には、ホテル１１０が接続されていてもよい。ネットワーク１０１は、任意のネットワーク（例えば、インターネット）である。ネットワーク１０１は、無線ＬＡＮを含む各種のＬＡＮ、ＷＡＮ、電話回線、無線電話回線、等を含み得る。
【００３８】
家庭１０２には、パーソナルコンピュータ（ＰＣ）１０４、照明装置１０などの機器（情報家電）が置かれている。家庭１０２には、さらに、テレビ（ＴＶ）１０５、電子レンジ１０６などの機器が置かれていてもよい。これらの機器は、家庭１０２内に設置されたホームＬＡＮ１０３を介して互いに接続されている。ホームＬＡＮ１０３は、ネットワーク１０１に接続されている。
【００３９】
照明装置１０は、独立に制御可能な複数の画素を含んでいる。
【００４０】
家庭１０２では、これらの機器のユーザ３０１が暮らしている。ユーザ３０１は、例えば、ＰＣ１０４を用いて、サービスセンタ１に照明サービスの注文１２１を送信する。送信された注文１２１は、ネットワーク１０１を介してサービスセンタ１によって受信される。
【００４１】
サービスセンタ１は、ネットワーク１０１を介して家庭２の機器と通信するネットワーク通信部３と、ＣＰＵ２と、メモリ４と、表示部５とを含む。サービスセンタ１は、任意のコンピュータであり得る。
【００４２】
ＣＰＵ２は、ネットワーク通信部３によって受け取られた照明サービスの注文１２１に応じて適切な照明制御データ１３１を生成（取得）し、照明制御データ１３１を照明装置１０に提供する照明サービス提供処理を実行する。
【００４３】
メモリ４には、例えば、複数の定形メッセージおよび照明パターンの表示を実現する照明制御データが、照明装置の型名ごとに格納されている。ここで、照明パターンとは、照明装置の各画素についての照明の形態（例えば、各画素の照明光の色および／または明るさ）を規定した、照明装置に表示されるパターンをいう。照明の形態は、時間的に変化してもよいし（動画）、変化しなくてもよい（静止画）。
【００４４】
表示部５は、サービスセンタ１（コンピュータ）の管理者が、サービスセンタ１の状態をモニタするために使用される。表示部５は、例えば、ＣＲＴディスプレイである。
【００４５】
サービスセンタ１と家庭１０２に置かれている照明装置１０との間の通信は、例えば、パケット転送によって行われる。パケットは、転送先を示すヘッダ部と、転送すべきデータ（例えば、照明制御データ１３１）を担持するデータ部とを含む。ヘッダ部は、家庭１０２に置かれている各機器に割り当てられ、各機器をネットワーク１０１上で一意に特定するアドレスを含む。このようなアドレスとしては、例えば、ＩＰｖ６（Ｉｎｔｅｒｎｅｔ  ｐｒｏｔｏｃｏｌ  ｖｅｒｓｉｏｎ  ６）規格に従って各機器に割り当てられたＩＰアドレスが用いられ得る。ＩＰアドレスは、インターネットに接続された機器をインターネット上で一意に特定する。
【００４６】
パケットのヘッダ部をこのように構成することにより、サービスセンタ１から家庭１０２に置かれている特定の照明装置１０にパケットを転送したり、家庭２に置かれている特定の照明装置１０からサービスセンタ１にパケットを転送することができる。
【００４７】
ホテル１１０にも、家庭１０２と同様に、パーソナルコンピュータ（ＰＣ）１０４、照明装置１０などの機器（情報家電）が置かれている。
【００４８】
図２は、本発明の照明装置１０の構成を示す。照明装置１０は、ホームＬＡＮ１０３に接続され、ネットワーク１０１を介して照明制御データ１３１を受け取るネットワーク通信部１１と、独立に制御可能な複数の画素１６を含む表示部１４と、受け取った照明制御データ１３１に応じて複数の画素１６を制御する表示制御部１３とを含む。照明装置１０は、ネットワーク通信部１１が受け取った照明制御データ１３１を記憶するメモリ１２を備えていてもよい。
【００４９】
照明装置１０が照明制御データ１３１を受け取る形態は、ホームＬＡＮ１０３を介してネットワーク通信部１１から照明制御データ１３１を受け取る形態に限定されない。照明装置１０は、ネットワーク通信部１１に代えて、あるいは、ネットワーク通信部１１に加えて、記録媒体アクセス部１５を含んでいてもよい。記録媒体アクセス部１５は、記録媒体に記録された照明制御データ１３１を読み出すことにより、その記録媒体から照明制御データ１３１を受け取る。
【００５０】
照明装置１０が記録媒体アクセス部１５を含んでいる場合には、サービスセンタ１から送られた照明制御データ１３１を記録媒体に記録してもよい。ユーザ３０１は、所望の照明制御データ１３１が記録された記録媒体を記録媒体アクセス部１５に接続することにより、所望の時に、所望の形態で照明装置１０が置かれている部屋を照明することができる。
【００５１】
照明制御データ１３１が記録される記録媒体としては、任意の記録媒体が使用され得る。例えば、ハードディスク、ＣＤ−ＲＯＭ、ＭＯ、ＭＤ、ＤＶＤ、ＳＤカードなどの記録媒体が好適に使用され得る。
【００５２】
ネットワーク通信部１１または記録媒体アクセス部１５は、照明制御データ１３１を照明装置１０の外部から受け取るインタフェース部１７として機能する。
【００５３】
表示制御部１３は、照明制御データ１３１から、表示部１４の複数の画素１６を制御するための制御信号を生成する。複数の画素のそれぞれが発光ダイオード（ＬＥＤ）を含む場合、表示制御部１３は、制御信号として、そのＬＥＤを駆動するパルス電圧信号を生成する。
【００５４】
表示部１４は、複数の画素１６を含む。複数の画素１６は、例えば、マトリクス状に配列されている。表示部１４に含まれる画素１６の個数は、例えば、約５００個である。画素１６のそれぞれは、照明光を発する。表示制御部１３は、複数の画素１６のそれぞれが発する照明光の明るさと色とを独立に制御する。これにより、さまざまな照明の形態が実現される。
【００５５】
通常の照明の形態（エンターテインメント性が要求されないような照明の形態）において、表示制御部１３は、照明制御データ１３１とはかかわりなく、画素１６のそれぞれが最大の輝度で白色の照明光を発する（表示する）ように、画素１６を制御する。これにより、照明装置１０により提供される照明の明るさおよび平均演色評価指数を高くすることができる。
【００５６】
エンターテインメント性が要求されるような照明の形態において、表示制御部１３は、照明制御データ１３１に応じて複数の画素１６を制御する。これにより、所望の形態で、１つの部屋等の所定の空間を照明することが可能になる。このような照明の形態では、照明装置１０は、例えば、照明パターンを表示する。
【００５７】
このように、表示制御部１３は、照明装置１０が、動作モードとして通常の照明の形態で動作する第１の動作モードとエンターテインメント性が要求されるような照明の形態で動作する第２の動作モードとを有するように、照明装置１０を制御する。
【００５８】
複数の画素１６の配列は、図２に示されるマトリクス状の配列に限定されない。複数の画素１６は、デルタ状に配列していてもよい。
【００５９】
さらに、表示部１４は、複数の隔たったブロックに分割されていてもよい。それらの複数のブロックは、異なる位置に配置され得る。例えば、１つのブロックが壁面に配置され得、他のブロックが天井に配置され得る。
【００６０】
図３Ａは、照明装置１０の１つの画素１６の構成の例を示す。画素１６は、３つのＬＥＤ１７Ｒ、１７Ｇおよび１７Ｂを含む。ＬＥＤ１７Ｒ、１７Ｇおよび１７Ｂのそれぞれは、表示制御部１３に接続されている。ＬＥＤ１７Ｒ、１７Ｇおよび１７Ｂは、それぞれ、赤色光５１Ｒ、緑色光５１Ｇおよび青色光５１Ｂを発する。光５１Ｒ、５１Ｇおよび５１Ｂは、全体として、画素１６が発する照明光５１を構成する。
【００６１】
表示制御部１３がＬＥＤ１７Ｒ、１７Ｇおよび１７Ｂのそれぞれの輝度を独立に制御することにより、画素１６が発する照明光５１を所望の明るさおよび色にすることができる。ＬＥＤ１７Ｒ、１７Ｇおよび１７Ｂのそれぞれの輝度は、ＬＥＤを駆動するパルス電圧信号を制御して、ＬＥＤに流れる電流量を変化させることによって制御することができる。
【００６２】
図３Ｂは、照明装置１０の１つの画素１６の構成の他の例を示す。図３Ｂにおいて、図３Ａに示される構成要素と同一の構成要素には同一の参照番号を付し、その説明を省略する。図３Ｂに示される例では、画素１６は、２個のＬＥＤ１７Ｒおよび１７Ｂを含む。ＬＥＤ１７Ｂの近くの位置に、蛍光体１８Ｇが設けられている。緑色蛍光体１８Ｇは、ＬＥＤ１７Ｂが発する光の一部６１Ｂで照らされることにより、緑色の蛍光６１Ｇを発する。光５１Ｒ、６１Ｇおよび５１Ｂは、全体として、画素１６が発する照明光５１を構成する。
【００６３】
図３Ｂに示される画素１６の構成によれば、図３Ａに示される構成と比較して、ＬＥＤ１７Ｇが省略されるので、照明装置１０（図２）のコストを低減することができる。ただし、図３Ｂに示される画素１６の構成によれば、画素１６が発する照明光５１の色再現性は、図３Ａに示される構成よりも劣る。
【００６４】
図３Ｃは、照明装置１０の１つの画素１６の構成のさらに他の例を示す。図３Ｃにおいて、図３Ａに示される構成要素と同一構成要素には同一の参照番号を付し、その説明を省略する。図３Ｃに示される例では、画素１６は、１個のＬＥＤ１７Ｂを含む。ＬＥＤ１７Ｂを覆うように、白色蛍光体１８Ｗが塗布されている。白色蛍光体１８Ｗは、ＬＥＤ１７Ｂが発する青色の光で照らされることにより、白色の蛍光６１Ｗを発する。蛍光６１Ｗは、画素１６が発する照明光５１を構成する。図３Ｃに示される画素１６の構成によれば、画素１６が発する照明光５１の明るさを変化させることはできるが、照明光５１の色を変化させることはできない。ただし、図３Ｃに示される画素１６の構成によれば、図３Ａおよび図３Ｂに示される構成と比較して、照明装置１０（図２）のコストを低減することができる。図３Ｃに示される画素１６の構成は、照明光５１の色を変化させる必要がない用途に好適に採用され得る。
【００６５】
なお、照明装置１０に含まれる画素の構成は、図３Ａ〜図３Ｃに示される構成に限定されない。複数の画素のＬＥＤに代えて、有機ＥＬ発光素子またはプラズマ発光素子が用いられてもよい。また、照明装置１０は、独立に制御可能な複数の画素１６に加えて、従来の蛍光ランプおよび／または白熱電球をさらに制御してもよい。照明装置１０は、例えば、部屋の全体的な照明を蛍光ランプによって行い、局所的な照明を独立に制御可能な複数の画素１６によって行ってもよい。
【００６６】
図４は、照明装置１０が家庭１０２に配置された状態を示す。図４に示される例では、照明装置１０は、ユーザ３０１が暮らしている部屋の壁面に取り付けられている。あるいは、照明装置１０は、部屋の天井の位置１０ａに取り付けられていてもよい。
【００６７】
図５は、サービスセンタ１のＣＰＵ２によって実行される、照明サービス提供処理の手順を示す。
【００６８】
ステップＳＴ１：照明サービスの注文（注文１２１）が受け取られる。注文１２１は、例えば、ユーザ３０１（図１）によって、家庭１０２のＰＣ１０４から、ホームＬＡＮ１０３、ネットワーク１０１を介して送信される。送信された注文１２１が、ネットワーク通信部３によって受け取られる。
【００６９】
注文１２１は、例えば、照明サービスの種類の指定を含む。照明サービスの種類は、例えば、「メーセージ表示サービス」と、「照明パターン表示サービス」とを含む。以下の説明において、特に断らない限り、照明サービスの種類として「メーセージ表示サービス」と、「照明パターン表示サービス」との２種類があるものとする。
【００７０】
注文１２１は、メーセージまたは照明パターンを表示する照明装置（送信先の照明装置）を指定して行われる。照明装置の指定は、例えば、照明装置に割り当てられたアドレスによって行われる。
【００７１】
ユーザ３０１が、照明サービスの種類として、「メーセージ表示サービス」を指定した場合には、照明装置に表示される定形メッセージとユーザメッセージとを指定する。ここで、定形メッセージとは、サービスセンタ１が予め用意した定形文の中から、ユーザ３０１によって選択されるメッセージである。ユーザメッセージとは、ユーザ３０１によって作成される任意のメッセージである。
【００７２】
ユーザ３０１が、照明サービスの種類として、「照明パターン表示サービス」を指定した場合には、サービスセンタ１が予め用意した照明パターン中から、照明装置に表示すべき照明パターンを指定する。
【００７３】
ユーザ３０１は、例えば、図６Ａ〜図６Ｈを参照して後述されるウェブページを用いて、注文１２１を送信し得る。このようなウェブページは、サービスセンタ１によって提供される。
【００７４】
ステップＳＴ２：注文１２１に含まれる照明サービスの種類が「メッセージ表示サービス」であるか否かが判定される。ステップＳＴ２における判定の結果が「Ｙｅｓ」である場合には、処理はステップＳＴ５に進む。ステップＳＴ２における判定の結果が「Ｎｏ」である場合には、処理はステップＳＴ３に進む。
【００７５】
ステップＳＴ３：指定された照明パターンを表示するための照明制御データ１３１をメモリ４（データベース）（図１）から読み出すことにより、照明制御データ１３１が取得される。ここで、照明制御データ１３１の読み出しは、照明パターンを表示すべき照明器具の型名を考慮して行われてもよい。これにより、照明装置の型名ごとに表示面の形状や大きさが異なる場合でも、それぞれの照明装置に適した照明制御データ１３１が読み出される。この場合には、ステップＳＴ１で受け取られる照明サービスの注文１２１は、照明器具の型名の指定を含み得る。
【００７６】
ステップＳＴ４：ステップＳＴ１で受け取られた照明サービスの注文１２１に含まれる送信先の照明装置に照明制御データ１３１が送信される。送信された照明制御データ１３１は、ネットワーク１０１およびホームＬＡＮ１０３（図１）を介して照明装置１０によって受け取られる。
【００７７】
なお、この例では、照明制御データ１３１は、照明装置１０に直接的に（照明装置以外の機器を介することなく）送信されることにより、照明装置１０に提供されていた。しかし、照明制御データ１３１は、送信先の照明装置に間接的に送信されることにより、照明装置１０に提供されてもよい。例えば、照明制御データ１３１は、家庭１０２に置かれているＰＣ１０４に送信されてもよい。ＰＣ１０４が受信した照明制御データ１３１は、自動的に、あるいは、ユーザ３０１によって手動で、適切なタイミングで照明装置１０に転送される。さらに、照明制御データ１３１は、ユーザ３０１の携帯電話機（ＰＨＳを含む）に送信されてもよい。携帯電話機が受信した照明制御データ１３１は、例えば、無線通信によって照明装置１０に転送され得る。
【００７８】
ステップＳＴ５：定形メッセージと、ユーザメッセージとが照明装置の表示面に表示されるように、照明制御データ１３１を作成することにより、照明制御データ１３１が取得される。照明制御データ１３１の作成は、照明パターンを表示すべき照明器具の型名を考慮して行われてもよい。これにより、照明装置の型名ごとに表示面の形状や大きさが異なる場合でも、それぞれの照明装置に適した照明制御データ１３１が作成される。
【００７９】
上述したステップＳＴ３またはステップＳＴ５は、照明サービスの注文１２１に応じて、照明装置１０に含まれる複数の画素１６を制御する照明制御データ１３１を取得するステップとして機能する。
【００８０】
ユーザ３０１がサービスセンタ１に注文１２１（図１）を送信する際のユーザインタフェースとしては、任意のユーザインタフェースが使用され得る。しかし、アクセスの容易さを考慮すると、このユーザインタフェースとして、ワールドワイドウェブ上のウェブページが使用されることが好ましい。
【００８１】
図６Ａは、ユーザ３０１がサービスセンタ１に注文１２１を送信する際のユーザインタフェースとして機能するウェブページ６０１の例を示す。
【００８２】
ウェブページ６０１は、任意のページ記述言語（例えば、ＨＴＭＬ言語）によって記述される。ウェブページ６０１を記述するファイルは、サービスセンタ１のメモリ４に格納されている。このファイルは、ネットワーク１０１上でこのファイルが格納されている位置を一意に特定するＵＲＬアドレスを有している。ユーザ３０１が、ＰＣ１０４で実行されるウェブページ閲覧ソフトウェアにこのＵＲＬアドレスを入力することにより、ＰＣ１０４にウェブページ６０１が表示される。
【００８３】
ウェブページ６０１は、ボタン６０２〜６０４を含む。「照明サービスの紹介」ボタン６０２、「使用可能な照明器具一覧」ボタン６０３、および「照明サービス検索」ボタン６０４のそれぞれをユーザ３０１が選択する（例えば、マウスポインタ６０５を各ボタンの位置に合わせた状態で、ＰＣ１０４に接続されたマウスのボタンをクリックする）ことにより、各ボタンに対応する内容のウェブページがＰＣ１０４に表示される。
【００８４】
図６Ｂは、照明サービスの紹介のためのウェブページ６１０の一例を示す。ウェブページ６１０は、例えば、図６Ａに示されるウェブページ６０１において、ユーザ３０１が「照明サービスの紹介」ボタン６０２を選択した場合に、ＰＣ１０４に表示される。
【００８５】
ウェブページ６１０は、「メッセージ表示サービス一覧」ボタン６１１と「照明パターン表示サービス一覧」ボタン６１２とを含む。
【００８６】
図６Ｃは、メッセージ表示サービスの一覧を表示するウェブページ６２０の一例を示す。ウェブページ６２０は、例えば、図６Ｂに示されるウェブページ６１０において、ユーザ３０１が「メッセージ表示サービス一覧」ボタン６１１を選択した場合に、ＰＣ１０４に表示される。
【００８７】
図６Ｃは、サービスセンタ１が提供するメッセージ表示サービスとして、「誕生日祝い」のメッセージ、「結婚祝い」のメッセージ、「入学・入社祝い」のメッセージ、「その他」のメッセージを照明装置に表示するサービスがあることを示す。
【００８８】
図６Ｄは、ユーザ３０１がサービスセンタ１に「誕生日祝い」のメッセージを表示するサービスを注文するためのウェブページ６３０の一例を示す。ウェブページ６３０は、例えば、図６Ｃに示されるウェブページ６２０において、ユーザ３０１が「誕生日祝い」ボタン６２１を選択した場合に、ＰＣ１０４に表示される。
【００８９】
ウェブページ６３０は、領域６３１〜６４１と、送信ボタン６４２とを含む。ユーザ３０１が、領域６３１〜６４１のそれぞれに必要な情報を入力した後に、送信ボタン６４２を選択することにより、注文１２１がサービスセンタ１に送信される。これにより、図５に示される照明サービス提供処理が開始される。
【００９０】
領域６３１には、ユーザ３０１がメッセージを表示することを希望する照明装置を特定するためのアドレスとして、例えば、その照明装置に割り当てられたＩＰアドレスが入力される。領域６３１には、照明制御データ１３１の送信先となる任意の機器（例えば、ユーザ３０１のＰＣ１０４）のアドレスが入力されてもよい。
【００９１】
領域６３２には、照明装置の型名が入力される。ただし、領域６３１に入力されたアドレスが照明装置のアドレスであり、サービスセンタ１が照明装置のアドレスと照明器具の型名との対応を記述したデータベースを有しているか、そのようなデータベースにサービスセンタ１がアクセスすることができる場合には、領域６３２への照明装置の型名の入力は省略され得る。照明器具の型名は、領域６３１に入力された照明装置のアドレスと、そのデータベースとを用いて求めることができるからである。
【００９２】
領域６３３と領域６３４とは、定形メッセージ「ＨＡＰＰＹ  ＢＩＲＴＨＤＡＹ」と、定形メッセージ「誕生日おめでとう！」とのうち、ユーザ３０１がどちらを好むかに応じて二者択一的に選択される。図６Ｄに示される例では定形メッセージの数は２であるが、この数をより多くしてもよい。定形メッセージの数を多くすることにより、ユーザ３０１の選択肢を増やすことができる。
【００９３】
領域６３５には、ユーザメッセージが入力される。
【００９４】
領域６３６〜６４０は、照明サービスが提供される日時、すなわち、指定されたメッセージが照明装置１０に表示される日時を指定するために使用される。なお、このような表示は、サービスセンタ１が指定された日時に照明装置１０に照明制御データ１３１を提供し、照明制御データ１３１を受け取った照明装置１０が直ちに照明制御データ１３１に基づいてメッセージを表示する方法（方法▲１▼）によって実現されてもよい。あるいは、サービスセンタ１は照明制御データ１３１が取得された後、直ちに照明装置１０に照明制御データ１３１を提供し、照明制御データ１３１を受け取った照明装置１０が指定された日時に照明制御データ１３１に基づいてメッセージを表示する方法（方法▲２▼）によって実現されてもよい。この場合には、サービスセンタ１から照明装置１０には、照明制御データ１３１とともに、メッセージを表示する日時を示す情報が提供される。照明制御データ１３１の送信先が照明装置ではない場合には、方法▲２▼が用いられる。
【００９５】
ユーザ３０１が、照明サービスが提供される日時を領域６３６〜６４０に入力することにより、所望の日（例えば、ユーザ３０１の家族の誕生日）の所望の時刻に照明サービスが提供されるように、照明サービスの注文を行うことができる。
【００９６】
領域６３６〜６４０への入力が省略された場合には、サービスセンタ１は照明制御データ１３１が取得された後、直ちに照明装置１０に照明制御データ１３１を送信し、照明制御データ１３１を受け取った照明装置１０は、直ちに、照明制御データ１３１に基づいてメッセージを表示する。従って、メッセージは注文１２１の送信後、照明装置１０に直ちに表示される。
【００９７】
領域６４１には、ユーザ３０１の銀行口座番号が入力される。ここで指定される銀行口座に、照明サービスの料金が課金される。
【００９８】
図６Ｅは、照明パターン表示サービスの一覧を表示するウェブページ６４５の一例を示す。ウェブページ６４５は、例えば、図６Ｂに示されるウェブページ６１０において、ユーザ３０１が「照明パターン表示サービス一覧」ボタン６１２を選択した場合に、ＰＣ１０４に表示される。
【００９９】
図６Ｅは、サービスセンタ１が提供する照明パターン表示サービスとして、「シチュエーション照明」、「リラクゼーション照明」、「その他」の照明パターンを照明装置に表示するサービスがあることを示す。
【０１００】
図６Ｆは、「シチュエーション照明」の照明パターンの一覧を表示するウェブページ６５０の一例を示す。ウェブページ６５０は、例えば、図６Ｅに示されるウェブページ６４５において、ユーザ３０１が「シチュエーション照明」ボタン６４６を選択した場合に、ＰＣ１０４に表示される。
【０１０１】
図６Ｆは、「シチュエーション照明」の照明パターンとして、「季節」、「自然」、「世界の有名観光地」、「感情」を主題とした照明パターンがあることを示す。
【０１０２】
図６Ｇは、「自然」を主題とした照明パターンの一覧を表示するウェブページ６６０の一例を示す。ウェブページ６６０は、例えば、図６Ｆに示されるウェブページ６５０において、ユーザ３０１が「自然」ボタン６５１を選択した場合に、ＰＣ１０４に表示される。
【０１０３】
なお、「自然」を主題とした照明パターンとは、その照明パターンを照明装置に表示した場合に、ユーザ３０１に自然を想起させるような照明パターンである。
【０１０４】
図６Ｇは、「自然」を主題とした照明パターンとして、「海」、「川」、「山」、「草原」を主題とした照明パターンがあることを示す。
【０１０５】
図６Ｈは、ユーザ３０１がサービスセンタ１に「草原」を主題とした照明サービスを注文するためのウェブページ６７０の例を示す。ウェブページ６７０は、例えば、図６Ｇに示されるウェブページ６６０において、ユーザ３０１が「草原」ボタン６６１を選択した場合に、ＰＣ１０４に表示される。
【０１０６】
ウェブページ６７０は、領域６３１、６３２、６３６〜６４１と、送信ボタン６４２とを含む。これらの領域およびボタンは、図６Ｄに示される同一の参照番号を有する領域およびボタンと同一であるので、その説明を省略する。
【０１０７】
ユーザ３０１がサービスセンタ１に照明サービスの注文を送信する際のユーザインタフェースとして、図６Ａ〜図６Ｈに示されるウェブページを使用することによって、ユーザ３０１は、インターネットに接続することが可能な任意の端末から、照明サービスの注文を送信することができる。ユーザ３０１は、他人の家庭に置かれている照明装置１０に、照明制御データ１３１を提供するように注文を行うことも可能である。また、外出先から、自宅に置かれている照明装置１０に、照明制御データ１３１を提供するように注文を行うことも可能である。
【０１０８】
図７Ａは、照明制御データ１３１の構造の例を示す。図７Ａに示される例では、画素指定データ＃１〜画素指定データ＃ｎのそれぞれについて、輝度データが指定されている。画素指定データ＃１〜画素指定データ＃ｎのそれぞれは、照明装置１０（図２）の表示部１４に含まれる画素１６の１つに対応している。以下、説明のために、画素１６のそれぞれは、図３Ａに示される構造を有しているものとする。
【０１０９】
画素指定データ＃１〜画素指定データ＃ｎのそれぞれは、例えば、図２に示されるＸＹ座標に基づいて、対応する画素を指定する。例えば、図２に示される表示面の左上隅に配置される画素に対応する画素指定データは、（１，１）と表される。
【０１１０】
輝度データは、少なくとも１つのリストを含む。リストのそれぞれは、（開始時刻、終了時刻、Ｒ輝度、Ｇ輝度、Ｂ輝度）と表される。このリストは、「開始時刻」から「終了時刻」までの間、ＬＥＤ１７Ｒ、１７Ｇおよび１７Ｂの輝度をそれぞれ、「Ｒ輝度」、「Ｇ輝度」、「Ｂ輝度」に設定することを示す。
【０１１１】
ＬＥＤ１７Ｒ、１７Ｇおよび１７Ｂのそれぞれの輝度は、例えば、０〜２５５の２５６段階の輝度レベルで表され得る。
【０１１２】
図７Ｂは、特定の画素についての輝度データの構造の例を示す。図７Ｂに示される例では、時刻０〜時刻ｔ1の間、特定の画素に含まれるＬＥＤ１７Ｒ、１７Ｇおよび１７Ｂの輝度をそれぞれ、０、２５５、０の輝度レベルに設定し、時刻ｔ1〜時刻ｔ2の間、ＬＥＤ１７Ｒ、１７Ｇおよび１７Ｂの輝度をそれぞれ、２５５、１４８、０の輝度レベルに設定し、時刻ｔ2〜時刻ｔ3の間、ＬＥＤ１７Ｒ、１７Ｇおよび１７Ｂの輝度をそれぞれ、２５５、２５５、２５５の輝度レベルに設定することを示す。
【０１１３】
図７Ｃは、図７Ｂに示される輝度データによりＬＥＤ１７Ｒ、１７Ｇおよび１７Ｂの輝度が制御される様子を示す。１つの画素１６に含まれるＬＥＤ１７Ｒ、１７Ｇおよび１７Ｂの輝度を図７Ｃに示されるように制御した場合には、その画素１６が発する照明光５１は、時刻０〜時刻ｔ1の間は緑色に見える。また、時刻ｔ1〜時刻ｔ2の間はオレンジ色に見え、時刻ｔ2〜時刻ｔ3の間は白色に見える。もちろん、それぞれの色を表現するためのＬＥＤ１７Ｒ、１７Ｇおよび１７Ｂの輝度が図７Ｃに示される例に限定されるわけではない。例えば、「緑」、「オレンジ」および「白」のそれぞれの色が人間の目に同程度の明るさに見えるように、ＬＥＤ１７Ｒ、１７Ｇおよび１７Ｂの輝度が人間の目の感度（視感度特性）を考慮して調整されてもよい。
【０１１４】
図７Ａに示される照明制御データ１３１によれば、複数の画素１６のそれぞれについて輝度データが指定されるので、複数の画素を独立に制御することができる。このように、照明制御データ１３１は、照明装置１０に表示される照明パターンを表している。
【０１１５】
照明制御データ１３１の構造は、図７Ａに示されるデータ構造に限定されない。照明制御データ１３１は、照明装置１０（図２）に含まれる複数の画素１６を独立に制御することが可能な任意のデータ構造を有し得る。各画素に含まれるＬＥＤが制御される輝度のレベルも、２５６段階に限定されない。
【０１１６】
照明パターンが時間的に繰り返されるパターンを含む場合には、そのような繰り返しのパターンのそれぞれを共通のデータによって表すようにしてもよい。これにより、照明制御データ１３１のサイズを低減させることができる。
【０１１７】
照明制御データ１３１は、照明装置１０の構成に依存しないデータ構造を有していてもよい。例えば、照明制御データ１３１は、照明装置１０の表示部１４の水平方向および垂直方向の画素数（例えば、１０２４（水平）×７６８（垂直）、１２８０（水平）×７６８（垂直）等）に依存しないデータ構造を有していてもよい。この場合には、照明制御データ１３１は、任意の構成を有する照明装置１０に適用することができる。また、この場合には、サービスセンタ１のメモリ４が照明制御データ１３１を照明装置の型名ごとに格納する必要がないことは言うまでもない。
【０１１８】
あるいは、表示制御部１３が、異なる構成を有する照明装置のための照明制御データを適切に変換して表示部１４に表示する機能を有していてもよい。例えば、表示制御部１３は、１０２４（水平）×７６８（垂直）の画素を有する照明装置のための照明制御データを変換し、１２８０（水平）×７６８（垂直）の画素を有する表示部１４に表示する機能を有していてもよい。このような変換は、例えば、補間を用いた拡大、縮小であり得る。あるいは、このような変換は、同一のパターンを空間的に繰り返すことであってもよい。
【０１１９】
図８は、照明装置１０に、メッセージを表示した例を示す。図８において、白抜きで示される画素は、白色の照明光を発している画素１６を示し、ハッチングで示される画素１６は、消灯している画素を示す。
【０１２０】
表示部１４には、「ＨＡＰＰＹ  ＢＩＲＴＨＤＡＹよしこ」というメッセージが表示されている。このうち、「ＨＡＰＰＹ  ＢＩＲＴＨＤＡＹ」が定形メッセージであり、「よしこ」がユーザメッセージである。
【０１２１】
図８に示されるメッセージは、例えば、家族の一員（例えば、娘）のために開催する誕生日会の開催時刻に合わせて照明装置１０に表示され得る。誕生日会の参加者には、照明装置１０にこのようなメッセージが表示されることは知らされていない。誕生日会の開催時刻にこのようなメッセージが照明装置１０に表示されれば、誕生日会の参加者が驚くとともに、その場が盛り上がることが予想される。このように、照明装置１０はエンターテインメント性を実現することができる。
【０１２２】
以下、図９Ａ、図９Ｂ、図１０Ａ、図１０Ｂ、図１１Ａ、図１１Ｂおよび図１２を参照して、照明装置１０に、照明パターンを表示する例を示す。以下に示す例では、照明装置１０には「草原」を主題とする照明パターンが表示される。この照明パターンでは、草原における木漏れ日が照明装置１０によって再現される。
【０１２３】
図９Ａは、木漏れ日の原理を説明する図である。太陽９０３が発する光線９０７は、木９０５を通って地面９０６に達する。その際に、葉９０４で光線９０７の一部がさえぎられ、葉９０４の隙間を通った光線９０７ａが地面９０６に達する。光線９０７ａは、木漏れ日と呼ばれる。
【０１２４】
図９Ｂは、木漏れ日によって照らされる地面９０６の様子を示す。地面９０６には、光線９０７ａの１つに対応して、明るい領域９０９が存在する。
【０１２５】
図１０Ａは、天井に取り付けられた照明装置１０によって、部屋の床面１００６が照らされる様子を示す。
【０１２６】
照明装置１０の画素１６のそれぞれは、照明光５１を発する。照明光５１は、できるだけ、太陽が発する光線９０７の色に近くなるように設定される。画素１６のそれぞれは、比較的高い指向性を有する。すなわち、１つの照明光５１は、床面１００６の比較的狭い範囲を照明する。
【０１２７】
このような高い指向性は、例えば、反射鏡または光ファイバ等を用いて、画素１６に含まれるＬＥＤが発する光を特定の方向に集光することによって実現され得る。あるいは、高い指向性を実現するために、ＬＥＤに代えて半導体レーザが用いられてもよい。
【０１２８】
図１０Ｂは、照明光５１によって照明された床面１００６の状態を示す。円の領域９１０のそれぞれは、複数の画素１６の１つが発する照明光５１により照らされる床面上の領域を示す。領域９１０のそれぞれは、照明装置１０の画素１６のそれぞれに対応する。図１０Ｂに白抜きで示された円は、対応する画素１６が点灯しており、その画素１６が発する照明光５１によって床面１００６が照らされていることを示す。図１０Ｂにハッチングで示される円は、対応する画素１６が消灯していることを示す。すなわち、図１０Ｂに白抜きで示される円のそれぞれは、床面１００６の明るい領域を示す。
【０１２９】
図９Ｂに示される明るい領域９０９のそれぞれと同様の位置関係にあるように、照明装置１０に含まれる複数の画素１６が制御される。これにより、木漏れ日によって照らされている地面９０６と同様の形態で、床面１００６を照明することができる。
【０１３０】
実際の木漏れ日では、風で葉９０４が揺れることに応答して、地面９０６上の明るい領域９０９が矢印９０８（図９Ｂ）のように動く。以下、図１１Ａ、図１１Ｂおよび図１２を参照して、このような動きを照明装置１０によって実現する例を示す。
【０１３１】
図１１Ａは、照明装置１０に含まれる２つの画素によって照明される床面１００６上の領域を示す。図１１Ａに示される例では、床面１００６上の領域９１０−１は、画素１６−１によって照明され、床面１００６上の領域９１０−２は、画素１６−２によって照明される。
【０１３２】
図１１Ｂは、画素１６−１および画素１６−２の明るさの制御の例を示す。画素１６−１および画素１６−２のそれぞれは、図３Ａに示される構造を有しているものとする。画素の明るさは、画素に含まれる３つのＬＥＤの輝度から導かれる。
【０１３３】
図１１Ｂに示される例では、画素１６−１の明るさが時刻ｔ1〜ｔ3の間にレベル０からレベルＬ1まで徐々に増加し、画素１６−２の明るさが時刻ｔ1〜ｔ3の間にレベルＬ1からレベル０まで徐々に減少している。すなわち、照明装置１０には、時間の経過とともに明るさが変化するように、照明パターンが表示される。なお、画素１６−１および画素１６−２の明るさが徐々に増加または減少する際に、その画素の照明光の色が変化しないように、各画素に含まれる３つのＬＥＤの輝度が制御される。
【０１３４】
図１２は、図１１Ｂに示されるように画素１６−１および画素１６−２の明るさを制御した場合の、床面１００６の状態の変化を示す。
【０１３５】
時刻ｔ1では、領域９１０−２のみが画素１６−２によって照明される。
【０１３６】
時刻ｔ2（ｔ1＜ｔ2＜ｔ3）では、領域９１０−１および領域９１０−２がそれぞれ画素１６−１および画素１６−２によって照明される。画素１６−１および画素１６−２のそれぞれの輝度は、時刻ｔ1における画素１６−２の輝度よりも低い。
【０１３７】
時刻ｔ3では、領域９１０−１のみが画素１６−１によって照明される。
【０１３８】
領域９１０−１および領域９１０−２の照明の状態がこのように変化すると、人間の目には、時刻ｔ1から時刻ｔ3にかけて、領域９１０−２から領域９１０−１へと、明るい領域が移動したように知覚される。この原理を図１０Ｂに白抜きで示される円のそれぞれに適用することにより、白抜きで示される円（明るい領域）が揺れ動くように人間の目に知覚させることができる。すなわち、実際の木漏れ日のような動きが照明装置１０によって実現される。
【０１３９】
照明装置１０にこのような照明パターンを表示することにより、照明装置１０によって照明される部屋にいるユーザ３０１は、実際に草原にいるような爽快感やリラックス感を得ることが予想される。このように、照明装置１０はエンターテインメント性を実現することができる。
【０１４０】
照明パターンの例が図９Ａ、図９Ｂ、図１０Ａ、図１０Ｂ、図１１Ａ、図１１Ｂおよび図１２を参照して説明した例に限定されないことは言うまでもない。照明パターンとして、例えば、風景画が照明装置１０に表示されるようにしてもよい。
【０１４１】
また、照明装置１０には、メッセージまたは照明パターンが表示された。照明装置１０には、これらが混在して表示されてもよい。例えば、照明パターンを背景として、メッセージが表示されてもよいし、メッセージの文字を構成する画素の明るさおよび／または色が時間の経過とともに変化するようにしてもよい。
【０１４２】
（実施の形態２）
図１３は、本発明の実施の形態２の照明サービスを提供するシステム２１００の構成を示す。図１３において、図１および図２に示される構成要素には同一の参照番号を付し、重複した説明は省略することがある。
【０１４３】
システム２１００は、サービスセンタ１と、ネットワーク１０１と、基地局２１４１と、携帯電話２１４２と、照明パターン選択装置（照明制御装置）２１６０と、照明装置２０１０とを含む。
【０１４４】
サービスセンタ１は、照明制御データ２１３１を提供するサービスを行う。
【０１４５】
照明装置２０１０は、実施の形態１の照明装置１０（図２）に代えて用いられ得る。照明装置２０１０は、照明装置１０のインタフェース部１７に代えて、送受信部２１５１を有している。携帯電話２１４２は、ＰＨＳを含む任意のタイプの携帯電話であり得る。図２を参照して上述したように、照明装置２０１０の表示制御部１３は、照明装置２０１０が、動作モードとして通常の照明の形態（例えば、白色の照明光が表示されるような照明の形態）で動作する第１の動作モードとエンターテインメント性が要求されるような照明の形態（例えば、照明パターンが表示されるような照明の形態）で動作する第２の動作モードとを有するように、照明装置２０１０を制御する。
【０１４６】
照明装置２０１０は、電源の投入に応答して第１の動作モードで動作してもよい。あるいは、照明装置２０１０は、電源の投入に応答して第２の動作モードで動作してもよい。照明装置２０１０が電源の投入に応答して第２の動作モードで動作する場合には、照明装置２０１０は、前回の電源の遮断時に表示していた照明パターンを表示するようにしてもよい。
【０１４７】
照明装置２０１０は、第２の動作モードにおける照明パターンの表示が中止された場合または照明パターンの表示が終了した後に、照明装置２０１０が白色の照明光を表示する第１のモードで動作するように構成されていてもよい。あるいは、照明装置２０１０は、第２の動作モードにおける照明パターンの表示が中止された場合または照明パターンの表示が終了した後に、その照明パターンの中止または終了の直前の時点における照明パターンが静止して表示されてもよい。なお、照明パターンは、所定の時間の表示の後に終了するタイプのパターンであってもよいし、繰り返しが無限に続くタイプのパターンであってもよい。
【０１４８】
照明装置２０１０のメモリ１２には、照明制御データ２１３１が記憶されている。照明制御データ２１３１は、照明装置２０１０を購入した時点で予めメモリ１２に記憶されていてもよいし、サービスセンタ１から照明パターン選択装置２１６０を経由してメモリ１２にダウンロードされてもよい。メモリ１２は、少なくとも１つの照明パターンを表す少なくとも１つの照明制御データ２１３１を記憶する。
【０１４９】
照明パターン選択装置２１６０は、照明装置２０１０とともに用いられ、照明装置２０１０を制御する。
【０１５０】
照明パターン選択装置２１６０は、処理部２１４３と、生体情報センサ２１４８と、キャッシュ用メモリ２１５０と、テーブル用メモリ２１４９と、選択キー２１４７と、表示部２１４６と、携帯電話インタフェース部２１４５と、記録媒体アクセス部１５と、送受信部２１４４とを含む。
【０１５１】
携帯電話インタフェース部２１４５は、携帯電話２１４２と照明パターン選択装置２１６０とのインタフェースとして機能する。携帯電話２１４２は、無線通信路２１５３を介して基地局２１４１に接続されており、基地局２１４１はネットワーク１０１を介してサービスセンタ１に接続されている。これにより、照明パターン選択装置２１６０は、サービスセンタ１から送信される照明制御データ２１３１を受信することができる。照明制御データ２１３１のデータ構造は、図１５を参照して後述される。
【０１５２】
送受信部２１４４は、照明装置２０１０と照明パターン選択装置２１６０とのインタフェースとして機能する。照明パターン選択装置２１６０の送受信部２１４４と、照明装置２０１０の送受信部２１５１とは、例えば、ＩｒＤＡ規格に従う、赤外線を利用した無線通信路２１５２を介して互いに接続されている。
【０１５３】
キャッシュ用メモリ２１５０は、照明装置２０１０のメモリ１２に記憶されている照明制御データ２１３１のヘッダ部（図１５を参照して後述）を格納するために使用される。
【０１５４】
テーブル用メモリ２１４９は、体調と、照明パターンのカテゴリとを対応付けるテーブルを記憶する。
【０１５５】
キャッシュ用メモリ２１５０およびテーブル用メモリ２１４９は、任意のタイプのメモリであり得る。
【０１５６】
生体情報センサ２１４８は、例えば、照明装置２０１０のユーザ３０１の体温、脈拍等のユーザ３０１の体調に関する情報（生体情報）を検知する。生体情報センサ２１４８は、例えば、ユーザ３０１が照明パターン選択装置２１６０を保持する掌の温度を検知する温度センサであり得る。
【０１５７】
表示部２１４６には、照明装置２０１０に表示され得る少なくとも１つの照明パターンに関連する情報が候補として表示される。表示部２１４６は、例えば、液晶表示デバイス等の任意のタイプの表示デバイスであり得る。
【０１５８】
選択キー２１４７は、その表示されたパターン種別情報に関連する、ユーザ３０１によって入力される選択情報を受け取る。選択キー２１４７は、例えば、テンキーである。選択キー２１４７は、照明装置２０１０の電源の投入および遮断、および／または照明装置２０１０の動作モードの切り替えをするためのキー（ボタン）を含んでもよい。
【０１５９】
処理部２１４３は、照明パターン選択装置２１６０の全体の動作を監視し、制御する。処理部２１４３は、例えば、マイクロプロセッサである。
【０１６０】
照明パターン選択装置２１６０は、例えば、携帯電話２１４２に取り外し可能に接続される。照明パターン選択装置２１６０がサービスセンタ１から送信される照明制御データ２１３１を受信する必要がない場合には、照明パターン選択装置２１６０は、携帯電話２１４２に接続されなくてもよい。あるいは、照明パターン選択装置２１６０と携帯電話２１４２とが一体として形成されもよい。
【０１６１】
図１４Ａは、照明パターン選択装置２１６０の外観の一例を示す。図１４Ａにおいて、図１３に示される構成要素と同一の構成要素には同一の参照番号を付している。図１４Ａに示される例では、生体情報センサ２１４８は、ユーザ３０１の掌の温度を感知する温度センサである。また、この例では、照明パターン選択装置２１６０は携帯電話２１４２と一体に形成されている。すなわち、照明パターン選択装置２１６０に携帯電話２１４２の機能が組み込まれている。これにより、携帯電話網の無線通信路２１５３と直接的に接続することが可能である。照明パターン選択装置２１６０は携帯電話として通話のために使用することも可能である。
【０１６２】
モード切り替えボタン２１７１は、照明装置２０１０（図１３）の動作モードを切り替えるために使用される。照明装置２０１０は、例えば、モード切り替えボタン２１７１が押下されるごとに、第１の動作モードと、第２の動作モードとが切り替わる。例えば、照明装置２０１０が第１の動作モードで動作している場合にモード切り替えボタン２１７１が押下されると、照明装置２０１０は、第２の動作モードで動作を始める。照明装置２０１０が第２の動作モードで動作している場合にモード切り替えボタン２１７１が押下されると、照明装置２０１０は、第１の動作モードで動作を始める。
【０１６３】
照明ＯＮボタン２１７２は、照明装置２０１０の電源を投入するために使用される。
【０１６４】
照明ＯＦＦボタン２１７３は、照明装置２０１０の電源を遮断するために使用される。
【０１６５】
図１４Ｂは、照明パターン選択装置２１６０の外観の他の例を示す。図１４Ｂにおいて、図１３に示される構成要素と同一の構成要素には同一の参照番号を付している。図１４Ｂに示される例では、照明パターン選択装置２１６０はユーザ３０１の手首に巻きつけて使用される。この例では、生体情報センサ２１４８は、血液中に含まれる鉄分（ヘモグロビン）が動脈流によって変化することに起因して発生する磁気の強さを検知する磁気センサを含む。生体情報センサ２１４８は、磁気の強さの変化の周期を検出することにより、ユーザ３０１の脈拍を検知することができる。ユーザ３０１の脈拍は、ユーザ３０１の体調に関する情報の一例である。
【０１６６】
図１４Ｂに示される例において、照明パターン選択装置２１６０がサービスセンタ１（図１３）から送信される照明制御データ２１３１を受信する必要がある場合には、照明パターン選択装置２１６０は、携帯電話２１４２（図１３）に接続されて用いられる。もちろん、この例においても、照明パターン選択装置２１６０に携帯電話２１４２の機能が組み込まれていてもよい。
【０１６７】
図１４Ａおよび図１４Ｂに示される例では、いずれも、生体情報センサ２１４８は照明パターン選択装置２１６０に一体に形成されていた。しかし、生体情報センサ２１４８と照明パターン選択装置２１６０とが別々の部材として構成されていてもよい。
【０１６８】
生体情報センサ２１４８は、例えば、ユーザ３０１の家庭の便器に設けられてもよい。その場合には、生体情報センサ２１４８は、ユーザ３０１の排泄物（尿および／または大便）に関する情報を検知することができる。ユーザ３０１の排泄物に関する情報は、ユーザ３０１の体調に関する情報の一例である。ユーザ３０１の排泄物に関する情報は、例えば、ユーザ３０１の排泄物の色、量、硬さ、臭い、排泄の回数等を検知する任意のセンサを用いて検知することができる。
【０１６９】
生体情報センサ２１４８は、例えば、ユーザ３０１の家庭に設けられ、ユーザ３０１の行動を追跡するカメラであってもよい。そのようなカメラによって撮影された画像から、ユーザ３０１の特定の動作が検出される。そのような特定の動作は、ユーザ３０１の体調に関する情報の一例である。例えば、ユーザ３０１が目をしばたいたり、背伸びしたり、首を回したり、肩をたたく等の動作は、「疲れ」というユーザ３０１の体調に関する。
【０１７０】
処理部２１４３は、生体情報センサ２１４８によって検知された生体情報から、ユーザ３０１の体調を推論する。処理部２１４３は、例えば、生体情報が正常値であれば、ユーザ３０１の体調が「普通」であると推論する。生体情報が体温である場合、正常値は、例えば、３６〜３７℃である。生体情報が血圧である場合、正常値は、例えば、９０〜１４０ｍｍＨｇである。血圧の変化を検知することによって、例えば、ユーザ３０１の緊張状態を検知することができる。生体情報が脈拍である場合、正常値は、例えば、６０〜１００回／分である。脈拍の変化を検知することによって、例えば、ユーザ３０１の興奮状態を検知することができる。
【０１７１】
生体情報がユーザ３０１の尿に関する情報である場合、排泄の回数は１日数回程度、色は淡黄色または黄褐色、量は、５００〜２０００ｍｌ／日であれば正常値である。
【０１７２】
生体情報がユーザ３０１の大便に関する情報である場合、排泄の回数は１日１回程度、色は黄褐色または茶褐色であれば正常値である。
【０１７３】
生体情報センサ２１４８は、上述した生体情報を検知する複数のセンサが組み合わせて用いられることが好ましい。複数のセンサを組み合わせて用いることによって、処理部２１４３によるユーザ３０１の体調の推論の結果がより正確になるからである。なお、本発明において、「ユーザ３０１の体調」とは、ユーザ３０１の肉体的な状態のみでなく，精神的な状態をも含む。例えば、「疲れ」とは、肉体的な疲れのみでなく精神的な疲れをも含む。本発明の照明装置は、肉体的な疲れよりも、精神的な疲れを癒すことに重点が置かれている。
【０１７４】
図１５は、本発明の実施の形態２の照明制御データ２１３１のデータ構造（データフォーマット）を示す。照明制御データ２１３１は、ヘッダ部２２５１と、照明パターンデータ部２２５２とを含む。照明パターンデータ部２２５２は、照明パターンを表す。照明パターンデータ部２２５２は、例えば、図７Ａを参照して上述した照明制御データ１３１と同一の構成を有し得る。照明パターンデータ部２２５２は、上述した照明制御データ１３１と同様に、照明装置２０１０の構成に依存しないデータ構造を有していてもよい。
【０１７５】
照明制御データ２１３１は照明パターンを表す照明パターンデータ部２２５２を含むので、照明制御データ２１３１は照明パターンを表しているということができる。
【０１７６】
ヘッダ部２２５１は、機器情報２２５３と、パターン種別情報２２５４と、タイトル情報２２５５と、キーワード情報２２５６と、作者情報２２５７とを含む。
【０１７７】
機器情報２２５３は、照明パターンデータ部２２５２によって表される照明パターンを表示することが可能な照明装置の構成を表す。照明装置の構成は、例えば、照明装置の型名によって表されていてもよいし、照明装置の表示部１４の水平方向および垂直方向の画素数（例えば、１０２４（水平）×７６８（垂直）、１２８０（水平）×７６８（垂直）等）によって表されてもよい。
【０１７８】
パターン種別情報（カテゴリ情報）は、照明パターンデータ部２２５２によって表される照明パターンのカテゴリを表す。そのようなカテゴリは、例えば、照明パターンデータ部２２５２によって表される照明パターンを照明装置２０１０（図１３）に表示することによってユーザ３０１に与える心理的効果に基づいたカテゴリである。
【０１７９】
タイトル情報２２５５は、照明パターンデータ部２２５２によって表される照明パターンに関連付けられたタイトルを表す。
【０１８０】
キーワード情報２２５６は、照明パターンデータ部２２５２によって表される照明パターンに関連付けられたキーワードを表す。
【０１８１】
作者情報２２５７は、照明パターンデータの作者名を示す。ユーザ３０１が特定の作者を好きな場合には、照明パターンの選択の際に、作者情報２２５７のみを参考にして（作者情報のみを指標として用いて）照明パターンを選択してもよい。このような選択方法も、ユーザの要望に適合した照明パターンの選択方法の１つである。
【０１８２】
ヘッダ部２２５１に含まれる機器情報２２５３と、パターン種別情報２２５４と、タイトル情報２２５５と、キーワード情報２２５６と、作者情報２２５７とは、いずれも、照明パターンデータ部２２５２によって表される照明パターン（すなわち、照明制御データ２１３１によって表される照明パターン）の属性を表す情報（照明パターンに関連する属性情報）であるということができる。
【０１８３】
ヘッダ部２２５１は、さらに、照明パターンの作者からのメッセージを含んでいてもよい。このようなメッセージは、図１７を参照して後述するステップＳＴ２７１０において表示部２１４６に表示され、ユーザが所望の照明パターンを選択する際の参考とされ得る。
【０１８４】
図１６は、体調と、パターン種別情報（照明パターンのカテゴリ）とを対応付けるテーブル２２６１を示す。テーブル２２６１は、テーブル用メモリ２１４９（図１３）に格納されている。テーブル２２６１は、ユーザ３０１が特定の体調の場合に、照明装置２０１０に表示することが好適な照明パターンのカテゴリを示す。例えば、テーブル２２６１の行２２６２は、ユーザ３０１の体調が「疲れ」である場合に、「癒し」または「催眠」のカテゴリに属する照明パターンを照明装置２０１０に表示することが好適であることを示している。
【０１８５】
図１７は、照明パターン選択装置２１６０が照明装置２０１０を制御する処理の手順を示す。図１７に示される処理は、照明パターン選択装置２１６０の照明ＯＮボタン２１７２（図１４Ａ）が押下されることに応答して、処理部２１４３によって実行される。図１７に示される処理の終了後に照明パターン選択装置２１６０のモード切り替えボタン２１７１が押下された場合には、図１７に示されるステップＳＴ２７０３以降の処理が実行される。
【０１８６】
以下の説明では、照明装置２０１０は、電源の投入に応答して第１の動作モード（白色光を表示する動作モード）で動作するものとする。
【０１８７】
ステップＳＴ２７０１：照明装置２０１０を点灯する。これは、送受信部２１４４（図１３）から照明装置２０１０に照明装置２０１０を点灯する指示を送信することによって行われる。照明装置２０１０は、この指示に応答して、第１の動作モードで動作（点灯）する。
【０１８８】
ステップＳＴ２７０２：モード切り替えボタン２１７１が押されたか否かが判定される。ステップＳＴ２７０２の判定の結果が「Ｙｅｓ」である場合には、処理はステップＳＴ２７０３に進む。ステップＳＴ２７０２の判定の結果が「Ｎｏ」である場合には、処理は終了する。ステップＳＴ２７０２は、照明装置２０１０の動作モードを切り替えるステップである。
【０１８９】
ステップＳＴ２７０３：照明装置２０１０のメモリ１２（図１３）に記憶されている照明制御データ２１３１の数が照明装置２０１０に問い合わせされる。照明装置２０１０は、この問い合わせに応答して、メモリ１２に記憶されている照明制御データ２１３１の数を照明パターン選択装置２１６０に送信する。
【０１９０】
ステップＳＴ２７０４：ステップＳＴ２７０３で問い合わせされた、照明装置２０１０のメモリ１２に記憶されている照明制御データ２１３１の数が０であるか否かが判定される。ステップＳＴ２７０４の判定の結果が「Ｙｅｓ」である場合には、処理はステップＳＴ２７１３に進む。ステップＳＴ２７０４の判定の結果が「Ｎｏ」である場合には、処理はステップＳＴ２７０５に進む。
【０１９１】
ステップＳＴ２７０５：ステップＳＴ２７０３で問い合わせされた、照明装置２０１０のメモリ１２に記憶されている照明制御データ２１３１の数が、キャッシュ用メモリ２１５０に記憶されたヘッダの数に等しいか否かが判定される。キャッシュ用メモリ２１５０には、後述するように、図１７に示される処理が前回実行された時点においてメモリ１２に記憶されていたデータの数に等しい数のヘッダが記憶されている。従って、ＳＴ２７０５では、以前にメモリ１２に記憶されていた照明制御データ２１３１の数と、現在メモリ１２に記憶されていた照明制御データ２１３１の数とが一致するか否かが判定される。
【０１９２】
ステップＳＴ２７０５の判定の結果が「Ｙｅｓ」である場合には、処理はステップＳＴ２７０８に進む。ステップＳＴ２７０５の判定の結果が「Ｎｏ」である場合には、処理はステップＳＴ２７０６に進む。
【０１９３】
ステップＳＴ２７０６：照明装置２０１０のメモリ１２に記憶されている照明制御データ２１３１のヘッダ部２２５１が、照明装置２０１０から受信される。ステップＳＴ２７０６が実行されるのは、ステップＳＴ２７０５における判定が「Ｎｏ」の場合、すなわち、以前にメモリ１２に記憶されていた照明制御データ２１３１の数と、現在メモリ１２に記憶されていた照明制御データ２１３１の数とが不一致である場合である。
【０１９４】
このような不一致は、図１７に示される処理が前回実行されてから今回実行されるまでの間に、照明装置２０１０のメモリ１２に何らかの照明制御データ２１３１が追加されることによって発生する。そのような追加は、例えば、照明装置２０１０に、現在の照明パターン選択装置とは異なる照明パターン選択装置を経由してサービスセンタ１から照明制御データ２１３１をダウンロードすることによって行なわれ得る。ステップＳＴ２７０６では、そのようにして追加された少なくとも１つの照明制御データのヘッダ部２２５１のみが照明装置２０１０から受信されればよい。
【０１９５】
そのような少なくとも１つの照明制御データのヘッダ部２２５１には、その少なくとも１つの照明制御データによって表される少なくとも１つの照明パターンのカテゴリを表すパターン種別情報が含まれている。従って、ステップＳＴ２７０６では、現在メモリ１２（図１３）に記憶されている照明制御データの少なくとも１つによって表される少なくとも１つの照明パターンのカテゴリを表すパターン種別情報（カテゴリ情報）が取得される。
【０１９６】
ステップＳＴ２７０７：ステップＳＴ２７０６で受信されたヘッダ部２２５１が、キャッシュ用メモリ２１５０（図１３）に記憶される。この処理によって、キャッシュ用メモリ２１５０には、照明装置２０１０のメモリ１２に記憶されているすべての照明制御データのヘッダ部２２５１が記憶された状態になる。このようにキャッシュ用メモリ２１５０を利用することにより、照明パターン選択装置２１６０の使用の度に、照明装置２０１０のメモリ１２に記憶されているすべての照明制御データのヘッダ部２２５１を読み出すことが必要ではなくなり、照明パターン選択装置２１６０と照明装置２０１０との間で通信されるデータ量が低減されるという利点が得られる。
【０１９７】
ステップＳＴ２７０８：生体情報センサ２１４８の出力に基づいて、ユーザ３０１の体調が推論される。この推論の結果は、例えば、「疲れ」である。
【０１９８】
ステップＳＴ２７０９：キャッシュ用メモリ２１５０に記憶されたヘッダ部２２５１のうち、ユーザ３０１の体調に適合するものがあるか否かが判定される。なお、「ユーザ３０１の体調に適合するヘッダ部」とは、その特定の体調のユーザ３０１に表示することが適切な照明パターンを表す照明制御データ２１３１のヘッダ部２２５１を指す。
【０１９９】
ステップＳＴ２７０９の判定は、テーブル用メモリ２１４９に記憶されたテーブル２２６１を参照して行われる。例えば、ＳＴ２７０８で推論されたユーザ３０１の体調が「疲れ」である場合には、テーブル２２６１を参照することによって、照明装置２０１０に表示することが適切な照明パターンのカテゴリが「癒し」または「催眠」であることが分かる。従って、キャッシュ用メモリ２１５０に記憶されたヘッダ部２２５１のうち、パターン種別情報（図１５）が、「癒し」または「催眠」であるものが、ユーザ３０１の体調に適合するヘッダ部である。
【０２００】
ステップＳＴ２７０９の判定の結果が「Ｙｅｓ」である場合には、処理はステップＳＴ２７１０に進む。ステップＳＴ２７０９の判定の結果が「Ｎｏ」である場合には、処理はステップＳＴ２７１３に進む。
【０２０１】
ステップＳＴ２７１０：ユーザ３０１の体調に適合する少なくとも１つのヘッダ部の情報が、候補（照明装置２０１０に表示され得る照明パターンに対応する候補）として表示部２１４６（図１３）に表示される。このように、ステップＳＴ２７０８〜ステップＳＴ２７１０において、照明パターン選択装置２１６０の処理部２１４３は、ユーザ３０１の体調に関する情報に基づいて、表示部２１４６に表示される候補を特定する特定部として機能する。
【０２０２】
ステップＳＴ２７１１：照明パターン選択装置２１６０の外部から、選択情報が入力される。このような選択情報は、例えば、ステップＳＴ２７１０で表示部２１４６に表示された少なくとも１つのヘッダ部の情報に基づいて、ユーザ３０１が所望の照明パターンを選択した結果を表す。
【０２０３】
ステップＳＴ２７１２：選択されたヘッダ部２２５１に対応する照明パターン（選択された照明パターン）を表示するように、照明装置２０１０に対して指示がなされる。この指示は、選択された照明パターンの表示を照明装置２０１０に指示する指示情報２８０１（図１３）を照明装置２０１０に送信することによって行われる。従って、ステップＳＴ２７１２において、送受信部２１４４は、指示情報２８０１を照明装置２０１０に送信する送信部として機能する。
【０２０４】
選択されたヘッダ部２２５１に対応する照明パターンを表す照明制御データ２１３１は、照明装置２０１０（図１３）のメモリ１２に記憶されている。従って、この指示情報２８０１は、選択されたヘッダ部２２５１に対応する照明パターンを表す照明制御データ２１３１がメモリ１２に記憶されているアドレスを含んでいる。
【０２０５】
ステップＳＴ２７１３：照明制御データ２１３１を照明装置１０に追加すべきか否かが判定される。上述したように、照明制御データ２１３１を照明装置１０に追加する際には、サービスセンタ１（図１３）から照明制御データ２１３１が照明パターン選択装置２１６０を介してダウンロードされる。このようなダウンロードは、通常、有料であるので、ユーザ３０１がダウンロードを承認するか否かの問い合わせが必要である。そのようなユーザ３０１への問い合わせは、例えば、ステップＳＴ２７１３が実行される毎に行われ得る。その問い合わせにおいてユーザ３０１がダウンロードを承認した場合には、ステップＳＴ２７１３の判定の結果は、「Ｙｅｓ」となる。あるいは、ユーザ３０１は、「ダウンロードを常に承認する」旨の設定を照明パターン選択装置２１６０に予め行っておいてもよい。そのような設定が予め行われている場合には、ステップＳＴ２７１３の判定の結果は、「Ｙｅｓ」となる。
【０２０６】
ステップＳＴ２７１３の判定の結果が「Ｙｅｓ」である場合には、処理はステップＳＴ２７１４に進む。ステップＳＴ２７１３の判定の結果が「Ｎｏ」である場合には、処理は終了する。
【０２０７】
ステップＳＴ２７１４：照明制御データ２１３１がサービスセンタ１から取得される。この取得は、例えば、ユーザの体調に適合するヘッダ部を有する照明制御データ２１３１を要求する注文１２１をサービスセンタ１に送信することによってなされる。この注文は、照明装置２０１０の構成に関する情報（例えば、照明装置の型名および／または照明装置の表示部１４の水平方向および垂直方向の画素数）を指定して行われる。そのような照明装置２０１０の構成に関する情報は、例えば、照明パターン選択装置２１６０が照明装置２０１０に問い合わせることによって知ることができる。
【０２０８】
ステップＳＴ２７１５：ステップＳＴ２７１４で取得された照明制御データ２１３１のヘッダ部２２５１がキャッシュ用メモリ２１５０（図１３）に記憶される。
【０２０９】
ステップＳＴ２７１６：ステップＳＴ２７１４で取得された照明制御データ２１３１が、照明装置２０１０に送信される。照明装置２０１０は、この照明制御データ２１３１を受信し、メモリ１２に記憶する。
【０２１０】
このように、ステップＳＴ２７１４〜ステップＳＴ２７１６において、サービスセンタ１から送信される照明制御データ２１３１は、照明パターン選択装置２１６０を経由して照明装置２０１０にダウンロードされる。
【０２１１】
ステップＳＴ２７１７：ステップＳＴ２７１６で送信された照明制御データ２１３１によって表される照明パターン（すなわち、照明制御データ２１３１の照明パターンデータ部２２５２によって表される照明パターン）を表示するように照明装置２０１０に対する指示が行われる。
【０２１２】
上述したステップＳＴ２７１０において、ヘッダ部２２５１の情報のすべてが表示部２１４６に表示されることは必須ではない。ヘッダ部２２５１に含まれる属性情報のうち、ユーザ３０１によって選択の指標として用いることができる情報（パターン種別情報２２５４〜作者情報２２５７のうちの少なくとも１つ）が表示部２１４６に表示されればよい。例えば、パターン種別情報２２５４およびキーワード情報２２５６が表示部２１４６に表示されてもよい。上述したように、ヘッダ部２２５１に含まれる情報は照明制御データ２１３１によって表される照明パターンに関連する情報であるので、ステップＳＴ２７１０において、照明制御データ２１３１によって表される照明パターンに関連する情報が表示部２１４６に表示される。
【０２１３】
図１４Ａに示されている「＊」ボタンは、照明装置２０１０が第２の動作モードで動作中（例えば、ある照明パターンを表示している途中）に、照明パターンの表示を中止する場合に使用される。このようにして照明パターンの表示が中止された後（または照明パターンの表示が終了した後）に、「＃」ボタンが押下された場合には、図１７に示されるステップＳＴ２７１０以降の処理が実行される。このようにして、ユーザ３０１は、表示されている照明パターンが気に入らない場合には、新たに照明パターンを選択しなおすことができる。
【０２１４】
あるいは、照明パターンの表示が中止された場合または照明パターンの表示が終了した後に、照明装置２０１０が白色の照明光を表示する第１のモードで動作するように照明装置２０１０が構成されている場合には、ユーザが新たに照明パターンを選択しなおすためには、照明パターン選択装置２１６０のモード切り替えボタン２１７１を押下するとよい。
【０２１５】
照明パターン選択装置２１６０が複数の照明装置とともに用いられる場合（例えば、照明パターン選択装置２１６０が、ユーザ３０１の家庭の異なる部屋の照明装置を制御するために使用される場合）には、キャッシュ用メモリ２１５０は、複数の照明装置のそれぞれについて、照明装置のメモリ１２に記憶されているすべての照明制御データのヘッダ部２２５１を記憶する。図１３には、このような複数の照明装置（照明装置２０１０および照明装置２０１０−１）が示されている。図１３に示される照明装置２０１０−１は、例えば、照明装置２０１０と同様の構成を有し得る。
【０２１６】
この場合には、照明パターン選択装置２１６０が制御する複数の照明装置を特定（識別）するために、任意のタイプの識別情報が用いられ得る。この識別情報は、照明パターン選択装置２１６０と、現在制御対象となっている照明装置との間でやり取りされる。例えば、図１７のステップＳＴ２７０１の後に、照明パターン選択装置２１６０は、制御対象となっている照明装置に対して識別情報を問い合わせ得る。
【０２１７】
この識別情報は、例えば、複数の照明装置のそれぞれにＩＰアドレスが予め与えられている場合には、そのＩＰアドレスであり得る。あるいは、この識別情報は、照明パターン選択装置２１６０が複数の照明装置のそれぞれに独自に（例えば、数ビットを使用して）付与してもよい。照明パターン選択装置２１６０が識別情報を付与する場合には、そのような識別情報は、照明パターン選択装置２１６０が制御する複数の照明装置のうちから１つを特定すれば十分である。従って、インターネットに接続されているすべての機器から１つの機器を特定するＩＰアドレスを使用する場合に比較して、識別情報のデータ量が少なくなるという利点が得られる。
【０２１８】
照明パターン選択装置２１６０が制御する複数の照明装置が互いに異なる構成を有する場合（例えば、水平方向および垂直方向の少なくとも一方の画素数が異なる場合）には、そのような構成に関する情報を上述した識別情報として使用するようにしてもよい。
【０２１９】
図１８は、キャッシュ用メモリ２１５０に、照明装置のメモリに記憶されている照明制御データのヘッダ部が記憶されている様子を模式的に示す。図１８に示される例は、照明パターン選択装置２１６０が、複数の照明装置（照明装置Ａおよび照明装置Ｂ）とともに用いられる場合の例である。照明装置Ａは、例えば、図１３に示される照明装置２０１０であり、照明装置Ｂは、例えば、図１３に示される照明装置２０１０−１である。照明パターン選択装置２１６０は、照明装置Ａと照明装置Ｂとを上述した識別情報によって識別することができる。
【０２２０】
この例では、照明装置Ａのメモリ１２には、ヘッダ部＃１〜ヘッダ部＃ｍをそれぞれ有する照明制御データが記憶されており、照明装置Ｂのメモリ１２には、ヘッダ部＃１００１〜ヘッダ部＃ｎをそれぞれ有する照明制御データが記憶されている。
【０２２１】
ヘッダ部＃１〜ヘッダ部＃ｍのそれぞれには、照明装置Ａのメモリ１２にそのヘッダ部を有する照明制御データが記憶されている記憶アドレス（アドレス＃１〜アドレス＃ｍ）が対応付けられており、ヘッダ部＃１００１〜ヘッダ部＃ｎのそれぞれには、照明装置Ｂのメモリ１２にそのヘッダ部を有する照明制御データが記憶されている記憶アドレス（アドレス＃１００１〜アドレス＃ｎ）が対応付けられている。このアドレスは、例えば、図１７のステップＳＴ２７１６において、照明装置２０１０が受信した照明制御データ２１３１をメモリ１２に記憶した後に、照明装置２０１０から照明パターン選択装置２１６０に通知される。
【０２２２】
このように、照明パターン選択装置２１６０が複数の照明装置とともに用いられる場合には、キャッシュ用メモリ２１５０は、複数の照明装置のそれぞれについて、照明装置のメモリ１２に記憶されているすべての照明制御データのヘッダ部２２５１を記憶する。これにより、照明パターン選択装置２１６０は、ヘッダ部に対応する照明パターンが、制御対象となっている照明装置に表示することが可能であるかどうかを知ることができる。
【０２２３】
図１９は、ステップＳＴ２７１０（図１７）において表示部２１４６に候補として表示された、ユーザ３０１の体調に適合するヘッダ部の情報を示す。図１９に示される例では、４つの候補２２８１〜２２８４のパターン種別情報２２５４およびキーワード情報２２５６が表示部２１４６に表示されている。この例において、ユーザ３０１の体調が「疲れ」であるものとする。候補２２８１〜２２８４のそれぞれは、カテゴリ（パターン種別情報）が「癒し」または「催眠」である照明パターンに対応している。これらのカテゴリは、テーブル２２６１によって体調「疲れ」に対応付けられているカテゴリである。ユーザ３０１は、表示されたこれらの候補のうちから、キーワード情報（照明パターンに関連する情報）を頼りにして所望の照明パターンを容易に選択することができる。このようにして、本発明の実施の形態２によれば、ユーザ３０１は、ユーザ３０１に適合した照明パターン（照明の形態）を容易に選択することが可能になる。
【０２２４】
このような選択は、図１４Ａに示される選択キー２１４７を使用して照明パターン選択装置２１６０に伝えられ得る。例えば、ユーザ３０１が候補２２８２に対応する照明パターンを所望する場合、その候補に対応する番号の「２」のボタンを押下すればよい。ユーザ３０１が「２」のボタンを押下したという情報は、照明パターン選択装置２１６０の外部から入力される選択情報であるということができる。このようにして、図１７に示されるステップＳＴ２７１１において、照明パターン選択装置２１６０の外部から選択情報が入力される。
【０２２５】
照明パターン選択装置２１６０の処理部２１４３は、ステップＳＴ２７１１（図１７）において、この選択情報に基づいて候補２２８２に対応する照明パターンを照明装置２０１０（図１３）に表示すべき１つの照明パターンとして選択する選択部として機能する。
【０２２６】
ユーザ３０１が表示された候補のうち所望の１つを選択することに代えて、ユーザ３０１は、表示された候補のうちの１つをランダムに選択する旨を指示してもよい。このような指示は、例えば、図１４Ａに示される「ランダム」ボタン２１７４を押下することによって照明パターン選択装置２１６０に伝えられる。ユーザ３０１が「ランダム」ボタン２１７４を押下したという情報は、照明パターン選択装置２１６０の外部から入力される選択情報であるということができる。この場合、照明パターン選択装置２１６０の処理部２１４３は、この選択情報に基づいて、乱数を用いて候補２２８１〜２２４８のうちのいずれかに対応する照明パターンを照明装置２０１０（図１３）に表示すべき１つの照明パターンとして選択する選択部として機能する。
【０２２７】
なお、図１９に示される例において、キーワード情報「夏・青空」を有する候補２２８１に対応する照明パターンは、例えば、静止画であり得る。キーワード情報「木漏れ日・森」を有する候補２２８２に対応する照明パターンと、キーワード情報「泉・そよ風」を有する候補２２８３に対応する照明パターンと、キーワード情報「蛍・点滅」を有する候補２２８４に対応する照明パターンとは、例えば、動画であり得る。
【０２２８】
図１７および図１９に示される例では、ユーザ３０１の体調に関する情報に基づいて、表示部２１４６に表示される候補が特定されていた。しかし、候補の特定は、例えば、機器情報２２５３と、パターン種別情報２２５４と、タイトル情報２２５５と、キーワード情報２２５６と、作者情報２２５７との少なくとも１つに基づいて行われてもよい。例えば、作者情報２２５７の内容が、ユーザ３０１が予め指定した内容（すなわち、ユーザ３０１の好みの作者名）に一致するヘッダ部に対応する照明パターンが、候補として特定されてもよい。もちろん、このような候補の特定方法と、ユーザ３０１の体調に基づいた候補の特定方法とが組み合わせられてもよい。
【０２２９】
特定された候補から照明装置に表示すべき１つの照明パターンをユーザ３０１に選択させるために、候補を表示部２１４６に表示することは必須ではない。複数の候補がある場合に、ユーザ３０１による選択を示す情報（照明パターン選択装置２１６０の外部から入力された選択情報）を使用せずに、それらの候補から照明装置に表示すべき１つの照明パターンを選択することができるからである。例えば、照明パターン選択装置２１６０の処理部２１４３（選択部）は、それらの候補のうちからランダムに１つを選択したり、以前に使用したことのない照明パターンを選択したり、以前に最も高い頻度で使用した照明パターンを選択したりすることによって、照明装置に表示すべき１つの照明パターンを選択し得る。もちろん、この場合には、照明パターン選択装置２１６０は表示部２１４６を有していなくてもよい。
【０２３０】
さらに、処理部２１４３は、候補を特定することなく、キャッシュ用メモリ２１５０（図１３）に記憶されているすべてのヘッダ部から、照明装置に表示すべき１つの照明パターンを選択してもよい。例えば、処理部２１４３は、キャッシュ用メモリ２１５０に記憶されているすべてのヘッダ部から、以前に最も高い頻度で使用した照明パターンを照明装置に表示すべき１つの照明パターンとして選択してもよい。
【０２３１】
処理部２１４３が、ユーザ３０１の体調に関する情報を使用しない場合には、照明パターン選択装置２１６０は生体情報センサ２１４８（図１３）を有していなくてもよい。
【０２３２】
図２０は、ユーザ３０１の体調に関する情報とは無関係に特定された候補を表示部２１４６に表示した例を示す。図２０に示される例では、候補２２８１〜２２８５が表示されている。候補２２８１〜２２８５は、例えば、キャッシュ用メモリ２１５０（図１３）に記憶されているすべてのヘッダ部に対応している。この例では、図１９にも示されている候補２２８１〜２２８４に加えて、体調「疲れ」に適合しない照明パターンに対応する候補２２８５がさらに表示されている。
【０２３３】
ユーザ３０１は、候補２２８１〜２２８５から、所望の照明パターンに対応する候補を選択することができる。
【０２３４】
図１３に示されるシステム２１００には、様々な改変がなされ得る。図１３に示される例では、サービスセンタ１から送信される照明制御データ２１３１は、照明パターン選択装置２１６０を経由して照明装置２０１０にダウンロードされていた。しかし、照明装置２０１０が照明パターン選択装置２１６０を経由せずにネットワーク１０１と接続されている構成を有する場合には、照明制御データ２１３１は、照明パターン選択装置２１６０を経由せずに照明装置２０１０にダウンロードされてもよい。その場合には、照明装置２０１０は、ネットワーク１０１上で照明装置２０１０を一意に特定するアドレスを有し得、照明制御データ２１３１のダウンロードは、そのアドレスを用いて行なわれ得る。そのようなアドレスは、例えば、ＩＰｖ６規格に従うＩＰアドレスであり得る。
【０２３５】
照明パターン選択装置２１６０は、照明制御データ２１３１をサービスセンタ１から取得することに代えて、照明制御データ２１３１を記録媒体（例えば、ＳＤカード）から読み出すようにしてもよい。そのような読み出しは、記録媒体アクセス部１５（図１３）を用いて行なわれ得る。
【０２３６】
また、図１３および図１７を参照して説明した例では、キャッシュ用メモリ２１５０は、照明装置２０１０のメモリ１２に記憶されている照明制御データ２１３１のヘッダ部２２５１のみを記憶していた。しかし、キャッシュ用メモリ２１５０は、照明制御データ２１３１の全体を記憶するようにしてもよい。この場合、ステップＳＴ２７１２（図１７）において照明装置２０１０に送信される指示情報２８０１が、照明装置２０１０に表示すべき照明パターンを表す照明制御データ２１３１を含むようにすれば、照明装置２０１０のメモリ１２には照明制御データ２１３１を記憶しておく必要はない。
【０２３７】
照明パターン選択装置２１６０のキャッシュ用メモリ２１５０が照明制御データ２１３１の全体を記憶するように構成されている場合には、キャッシュ用メモリ２１５０にユーザ３０１のお気に入りの照明パターンを表す照明制御データを記憶しておき、その照明パターン選択装置２１６０を携帯することにより、ユーザ３０１は、例えば、外出先（例えば、友人の家）にある照明装置にそのお気に入りの照明パターンを表示させることができる。
【０２３８】
また、照明パターン選択装置２１６０のキャッシュ用メモリ２１５０が照明制御データ２１３１の全体を記憶するように構成されている場合には、照明パターン選択装置２１６０は、現在制御の対象となっている照明装置に表示することが可能な照明パターンに対応するヘッダ部２２５１を候補として表示部２１４６に表示することが好ましい。このような表示は、ヘッダ部２２５１に含まれる機器情報２２５３（照明装置の構成を表す情報）に基づいて候補の特定を行うことによって実現され得る。例えば、照明パターン選択装置２１６０は、キャッシュ用メモリ２１５０に記憶されている照明制御データ２１３１のヘッダ部２２５１のうち、現在制御の対象となっている照明装置の構成に一致する機器情報２２５３を含むヘッダ部を候補として特定すればよい。現在制御の対象となっている照明装置の構成は、例えば、照明パターン選択装置２１６０が、現在制御の対象となっている照明装置に問い合わせることによって知ることができる。このような問い合わせにおいて、照明パターン選択装置２１６０の送受信部２１４４は、照明装置の構成を表す情報を取得する構成情報取得部として機能する。
【０２３９】
照明制御データ２１３１のデータ構造は、図１５に示されるデータ構造に限定されない。例えば、ヘッダ部２２５１が、機器情報２２５３と、パターン種別情報２２５４と、タイトル情報２２５５と、キーワード情報２２５６とのすべてを含むことは必須ではない。例えば、タイトル情報２２５５と、キーワード情報２２５６とが省略されてもよい。
【０２４０】
さらに、照明パターンデータ部２２５２が照明装置２０１０の構成に依存しないデータ構造を有している場合、または、表示制御部１３が、異なる構成を有する照明装置のための照明制御データを適切に変換して表示部１４に表示する機能を有している場合には、機器情報２２５３は省略され得る。
【０２４１】
以上説明したように、本発明の実施の形態２では、照明装置のユーザが、ユーザに適合した照明パターン（照明の形態）を容易に選択できるようにすることが意図される。実施の形態２は、特に、本発明によって提案される新しい照明文化が浸透し、多くのタイプの照明パターンを表す照明制御データが利用可能になった場合に、特に効果が大きい。
【０２４２】
実施の形態１の照明装置１０または実施の形態２の照明装置２０１０に表示されるパターンが時間の経過とともに変化することに合わせて、照明装置１０または照明装置２０１０が照明する部屋の香りが変化するようにしてもよい。
【０２４３】
図２１は、照明装置１０または照明装置２０１０が照明する部屋の香りを制御するための香り制御装置１３００の例を示す。
【０２４４】
香り制御装置１３００は、照明装置（照明装置１０または照明装置２０１０）に追加的に備えられ、表示制御部１３に接続される。香り制御装置１３００は、モータ１３０２と、香水ビン１３０１と、フタ１３０３とを含む。香水ビン１３０１には、香水１３０４が入れられている。
【０２４５】
照明装置が香り制御装置１３００を備える場合、照明装置に提供される照明制御データは、モータ１３０２を制御するためのデータを含む。モータ１３０２が動作することにより、フタ１３０３が開閉する。フタ１３０３が開くと、香水１３０４が放つ香りが、照明装置が置かれている部屋に満たされる。香りの強さは、フタ１３０３が開く量を調節することによって制御される。
【０２４６】
照明パターンの時間的変化に合わせて、部屋の香りを制御することにより、ユーザ３０１をより爽快にさせたり、よりリラックスさせたりすることができる。これにより、より高いエンターテインメント性を実現することが可能になる。
【０２４７】
なお、図２１に示される例では、照明装置が制御することが可能な香りの種類は１種類であるが、香水１３０４の種類が異なる香り制御装置１３００を複数個用いることにより、照明装置は複数の香りを制御することができる。また、複数の香り制御装置１３００のフタ１３０３を同時に開くことにより、複数の香りを混ぜることができるので、多くの種類の香りを実現することができ、さらに高いエンターテインメント性を実現することができる。
【０２４８】
上述した実施の形態１の照明装置１０または実施の形態２の照明装置２０１０に表示される照明パターンが、例えば、放送または記録媒体によって提供される音楽および／または映像に連動して変化するようにしてもよい。
【０２４９】
照明パターンを放送によって提供される音楽および／または映像に連動して変化させるためには、例えば、照明パターンを表す照明制御データをその放送とともにストリーミング技術を使用して送信すればよい。そのようにして送信された照明制御データは、適切な放送受信機によって受信され、照明装置１０または照明装置２０１０に渡され得る。
【０２５０】
あるいは、単に放送される番組の中で、その番組と組み合わせることが好適な照明パターンを表す照明制御データのタイトル情報をユーザ３０１に通知すればよい。
【０２５１】
照明パターンを記録媒体（例えば、ＤＶＤ）によって提供される音楽および／または映像に連動して変化させるためには、例えば、その記録媒体に、音楽および／または映像を表すデータとともに照明制御データを記録しておけばよい。そのようにして記録された照明制御データは、適切な再生装置によって再生され、照明装置１０または照明装置２０１０に渡され得る。
【０２５２】
【発明の効果】
本発明の照明制御装置は、照明装置に表示すべき１つの照明パターンを選択する選択部を備えている。これにより、多種多様な照明パターンが存在しても、ユーザの要望または体調に適合した照明の形態を容易に選択することができる。少なくとも１つの照明パターンのそれぞれに関連する属性情報が表示部に表示される場合、ユーザは、照明パターンのそれぞれに関連する情報に基づいて、照明装置に表示される照明パターンを選択することができる。
【０２５３】
ストレスの多い現代社会において、そのような、ユーザの要望または体調に適合したエンターテインメント性を有する照明がユーザの心を癒す効果は大きい。
【図面の簡単な説明】
【図１】本発明の照明サービスを提供するシステム１００の構成を示すブロック図
【図２】本発明の照明装置１０の構成を示すブロック図
【図３Ａ】照明装置１０の１つの画素１６の構成の例を示す図
【図３Ｂ】照明装置１０の１つの画素１６の構成の他の例を示す図
【図３Ｃ】照明装置１０の１つの画素１６の構成のさらに他の例を示す図
【図４】照明装置１０が家庭１０２に配置された状態を示す図
【図５】サービスセンタ１のＣＰＵ２によって実行される、照明サービス提供処理の手順を示すフローチャート
【図６Ａ】ユーザ３０１がサービスセンタ１に注文１２１を送信する際のユーザインタフェースとして機能するウェブページ６０１の例を示す図
【図６Ｂ】照明サービスの紹介のためのウェブページ６１０の一例を示す図
【図６Ｃ】メッセージ表示サービスの一覧を表示するウェブページ６２０の一例を示す図
【図６Ｄ】ユーザ３０１がサービスセンタ１に「誕生日祝い」のメッセージを表示するサービスを注文するためのウェブページ６３０の一例を示す図
【図６Ｅ】照明パターン表示サービスの一覧を表示するウェブページ６４５の一例を示す図
【図６Ｆ】「シチュエーション照明」の照明パターンの一覧を表示するウェブページ６５０の一例を示す図
【図６Ｇ】「自然」を主題とした照明パターンの一覧を表示するウェブページ６６０の一例を示す図
【図６Ｈ】ユーザ３０１がサービスセンタ１に「草原」を主題とした照明サービスを注文するためのウェブページ６７０の例を示す図
【図７Ａ】照明制御データ１３１の構造の例を示す図
【図７Ｂ】特定の画素についての輝度データの構造の例を示す図
【図７Ｃ】図７Ｂに示される輝度データによりＬＥＤ１７Ｒ、１７Ｇおよび１７Ｂの輝度が制御される様子を示す図
【図８】照明装置１０に、メッセージを表示した例を示す図
【図９Ａ】木漏れ日の原理を説明する図
【図９Ｂ】木漏れ日によって照らされる地面９０６の様子を示す図
【図１０Ａ】天井に取り付けられた照明装置１０によって、部屋の床面１００６が照らされる様子を示す図
【図１０Ｂ】照明光５１によって照明された床面１００６の状態を示す図
【図１１Ａ】照明装置１０に含まれる２つの画素によって照明される床面１００６上の領域を示す図
【図１１Ｂ】画素１６−１および画素１６−２の明るさの制御の例を示す図
【図１２】図１１Ｂに示されるように画素１６−１および画素１６−２の明るさを制御した場合の、床面１００６の状態の変化を示す図
【図１３】本発明の実施の形態２の照明サービスを提供するシステム２１００の構成を示すブロック図
【図１４Ａ】照明パターン選択装置２１６０の外観の一例を示す図
【図１４Ｂ】照明パターン選択装置２１６０の外観の他の例を示す図
【図１５】本発明の実施の形態２の照明制御データ２１３１のデータ構造（データフォーマット）を示す図
【図１６】体調と、パターン種別情報（照明パターンのカテゴリ）とを対応付けるテーブル２２６１を示す図
【図１７】照明パターン選択装置２１６０が照明装置２０１０を制御する処理の手順を示すフローチャート
【図１８】キャッシュ用メモリ２１５０に、照明装置のメモリに記憶されている照明制御データのヘッダ部が記憶されている様子を模式的に示す図
【図１９】ステップＳＴ２７１０（図１７）において表示部２１４６に候補として表示された、ユーザ３０１の体調に適合するヘッダ部の情報を示す図
【図２０】ユーザ３０１の体調に関する情報とは無関係に特定された候補を表示部２１４６に表示した例を示す図
【図２１】照明装置が照明する部屋の香りを制御するための香り制御装置１３００の例を示す図
【符号の説明】
１  サービスセンタ
２  ＣＰＵ
３  ネットワーク通信部
５  表示部
１０、２０１０  照明装置
１３  表示制御部
１４、２１４６  表示部
１６  画素
１７  インタフェース部
１２１  注文
１３１、２１３１  照明制御データ
２１４１  基地局
２１４３  処理部
２１４４、２１５１  送受信部
２１４５  携帯電話インタフェース部
２１４８  生体情報センサ
２１４９  テーブル用メモリ
２１５０  キャッシュ用メモリ
２１６０  照明パターン選択装置
【図１】
0004129133.tif 000002
【図２】
0004129133.tif 000003
【図３Ａ】
0004129133.tif 000004
【図３Ｂ】
0004129133.tif 000005
【図３Ｃ】
0004129133.tif 000006
【図４】
0004129133.tif 000007
【図５】
0004129133.tif 000008
【図６Ａ】
0004129133.tif 000009
【図６Ｂ】
0004129133.tif 000010
【図６Ｃ】
0004129133.tif 000011
【図６Ｄ】
0004129133.tif 000012
【図６Ｅ】
0004129133.tif 000013
【図６Ｆ】
0004129133.tif 000014
【図６Ｇ】
0004129133.tif 000015
【図６Ｈ】
0004129133.tif 000016
【図７Ａ】
0004129133.tif 000017
【図７Ｂ】
0004129133.tif 000018
【図７Ｃ】
0004129133.tif 000019
【図８】
0004129133.tif 000020
【図９Ａ】
0004129133.tif 000021
【図９Ｂ】
0004129133.tif 000022
【図１０Ａ】
0004129133.tif 000023
【図１０Ｂ】
0004129133.tif 000024
【図１１Ａ】
0004129133.tif 000025
【図１１Ｂ】
0004129133.tif 000026
【図１２】
0004129133.tif 000027
【図１３】
0004129133.tif 000028
【図１４Ａ】
0004129133.tif 000029
【図１４Ｂ】
0004129133.tif 000030
【図１５】
0004129133.tif 000031
【図１６】
0004129133.tif 000032
【図１７】
0004129133.tif 000033
【図１８】
0004129133.tif 000034
【図１９】
0004129133.tif 000035
【図２０】
0004129133.tif 000036
【図２１】
0004129133.tif 000037